(57)【特許請求の範囲】
【請求項１】
非常電話回線を介して受付台と接続される非常電話機の点検方法であって、
前記非常電話回線とは別の電話回線を介して、点検の対象に選択した非常電話機に対し点検の開始を指示する開始信号を伝送し、
前記開始信号を受信した非常電話機において該非常電話機と前記非常電話回線とを接続するスイッチのオン・オフを切り替えるフック部材を、前記スイッチをオフにする位置からオンにする位置に機械的に移動させて、前記非常電話機を前記非常電話回線に接続し、
前記非常電話回線を介して前記非常電話機と前記受付台とを接続し、
前記非常電話回線に接続された前記非常電話機の受話器から音声を出力した状態で送話器により収音した音声信号を録音し、
録音した前記音声信号を前記非常電話機で再生して前記非常電話回線に出力し、
前記フック部材を、前記スイッチをオンにする前記位置からオフにする前記位置に機械的に移動させて前記非常電話機と前記非常電話回線との接続を解除する
ことを特徴とする非常電話機の点検方法。
【請求項２】
前記非常電話機は、前記非常電話回線を介して自動交換設備に接続され、かつ、前記別の電話回線及び該電話回線を制御する回線制御装置を介して前記自動交換設備に接続されており、
前記開始信号は、前記自動交換設備を介して前記回線制御装置に接続される業務電話機又は非常電話機の点検を制御する試験制御装置から送出され、
前記非常電話回線を介して前記非常電話機と前記受付台とが接続された後、前記別の電話回線を介した前記非常電話機と前記業務電話機又は前記試験制御装置との接続が解除される
ことを特徴とする請求項１に記載の非常電話機の点検方法。
【請求項３】
前記音声信号を録音する処理は、
前記受付台、又は前記非常電話回線を含む該非常電話機と前記受付台との伝送経路に設けられた非常電話機の点検を制御する試験制御装置から送出された第１の試験音声を前記受話器から出力した状態で送話器により収音した第１の音声信号と、前記非常電話機が有する発振器が出力した第２の試験音声を前記受話器から出力した状態で送話器により収音した第２の音声信号とを録音する
ことを特徴とする請求項１に記載の非常電話機の点検方法。
【請求項４】
前記音声信号を録音する処理は、前記第１の試験音声及び前記第２の試験音声のそれぞれを増幅して前記受話器から出力する
ことを特徴とする請求項３に記載の非常電話機の点検方法。
【請求項５】
前記開始信号は、単一の非常電話回線に接続された複数台の非常電話機のうちの１台の非常電話機を識別する情報を含む
ことを特徴とする請求項１〜４のいずれか１項に記載の非常電話機の点検方法。
【請求項６】
前記複数台の非常電話機のうちの点検の対象に選択された非常電話機に対する点検を行っている期間に、前記複数台の非常電話機のうちの他の非常電話機において該非常電話機と前記非常電話回線とを接続するスイッチがオフからオンに切り替わった場合に、前記点検の対象に選択された前記非常電話機に対する点検を中止する
ことを特徴とする請求項５に記載の非常電話機の点検方法。
【請求項７】
前記複数台の非常電話機のうちの点検の対象に選択された非常電話機に対する点検を行っている期間に、該非常電話機の前方に人がいることを検知した場合に、前記非常電話機に対する点検を中止する
ことを特徴とする請求項５に記載の非常電話機の点検方法。
【請求項８】
前記非常電話機は、点検時には、前記フック部材に取り付けられたソレノイドのコイルに電流を印加して、前記フック部材を、前記スイッチをオフにする位置からオンになる前記位置に移動させ、前記コイルへの電流の印加を停止して、前記フック部材を、前記スイッチがオンになる前記位置からオフにする前記位置に移動させる
ことを特徴とする請求項１に記載の非常電話機の点検方法。
【請求項９】
非常電話回線を介して接続される受付台及び複数台の非常電話機と、前記複数台の電話機に接続された前記非常電話回線とは別の電話回線とを含む非常電話システムであって、
前記複数台の非常電話機のうちの少なくとも１台の非常電話機は、
前記別の電話回線を介して伝送された点検の開始を指示する開始信号を受信する受信部と、
該非常電話機を前記非常電話回線と接続するスイッチのオン・オフを切り替えるフック部材を、前記スイッチをオフにする位置とオンにする位置との間で機械的に移動させるソレノイドと、
前記開始信号を受信した場合に前記ソレノイドを起動させ、前記フック部材を、前記スイッチをオフにする前記位置からオンにする前記位置に機械的に移動させ、前記非常電話回線を介して前記非常電話機を前記受付台に接続する第１の制御部と、
前記非常電話回線に接続された前記非常電話機の受話器から音声を出力した状態で送話器により収音した音声信号を録音し、かつ録音した前記音声信号を前記非常電話機で再生する録音部と、
前記ソレノイドを停止させ、前記フック部材を、前記スイッチをオンにする前記位置からオフにする前記位置に機械的に移動させ、前記非常電話機と前記非常電話回線との接続を解除する第２の制御部と
を含むことを特徴とする非常電話システム。
【請求項１０】
前記受付台と前記非常電話回線との間に介在する１つ以上の自動交換設備と、前記１つ以上の自動交換設備のうちの１つの自動交換設備と前記別の電話回線との間に介在する回線制御装置と、前記自動交換設備を介して前記回線制御装置と接続可能な業務電話機とを更に含み、
前記開始信号は、前記業務電話機から前記回線制御装置及び前記別の電話回線を介して前記非常電話機に伝送される
ことを特徴とする請求項９に記載の非常電話システム。
【請求項１１】
前記受付台と前記非常電話回線との間に介在する１つ以上の自動交換設備と、前記１つ以上の自動交換設備のうちの１つの自動交換設備と前記別の電話回線との間に介在する回線制御装置と、前記自動交換設備を介して前記複数台の非常電話機の点検を制御する試験制御装置とを更に含み、
前記開始信号は、前記試験制御装置から前記回線制御装置及び前記別の電話回線を介して前記非常電話機に伝送される
ことを特徴とする請求項９に記載の非常電話システム。
【請求項１２】
前記複数台の非常電話機は、単一の前記非常電話回線及び単一の前記別の電話回線に接続された所定の最大台数以下の非常電話機を１つのブロックとして１つ以上のブロックにグループ分けされている
ことを特徴とする請求項９〜１１のいずれか１項に記載の非常電話システム。
【請求項１３】
非常電話回線を介して受付台と接続される非常電話機であって、
前記非常電話回線とは別の電話回線を介して伝送された点検の開始を指示する開始信号を受信する受信部と、
該非常電話機を前記非常電話回線と接続するスイッチのオン・オフを切り替えるフック部材を、前記スイッチをオフにする位置とオンにする位置との間で機械的に移動させるソレノイドと、
前記開始信号を受信した場合に前記ソレノイドを起動させ、前記フック部材を、前記スイッチをオフにする前記位置からオンにする前記位置に機械的に移動させ、前記非常電話回線を介して前記非常電話機を前記受付台に接続する第１の制御部と、
前記非常電話回線に接続された前記非常電話機の受話器から音声を出力した状態で送話器により収音した音声信号を録音し、かつ録音した前記音声信号を前記非常電話機で再生する録音部と、
前記ソレノイドを停止させ、前記フック部材を、前記スイッチをオンにする前記位置からオフにする前記位置に機械的に移動させ、前記非常電話機と前記非常電話回線との接続を解除する第２の制御部と
を含むことを特徴とする非常電話機。
【請求項１４】
前記受話器から出力させる音声信号を増幅するアンプを更に備える
ことを特徴とする請求項１３に記載の非常電話機。
【発明の詳細な説明】
【技術分野】
【０００１】
本発明は、非常電話機の点検方法、非常電話システム、及び非常電話機に関する。
【背景技術】
【０００２】
高速道路等の道路には、事故等の非常事態が発生した場合に道路の管理者等に連絡するための非常電話機が設置されている。非常電話機を設置した道路の管理者等は、非常電話機による非常事態の連絡を常に受け付けることができるよう、該非常電話機の点検を定期的に行っている。
【０００３】
非常電話機の点検に関連する技術の１つとして、送受話器がオンフック状態、すなわち利用者が被試験機を使用していないときに試験機から着呼があると、送受話器を疑似的にオフフック状態とし、試験機との回線を接続する被試験電話機が知られている（例えば、特許文献１を参照）。この種の被試験電話機は、送受話器を疑似的にオフフック状態とすることで、点検を行う作業員等が送受話器をオフフックにすることなく、電話機の試験を遠隔から行うことを可能にする。
【先行技術文献】
【特許文献】
【０００４】
【特許文献１】特開２０１３−１９２０６９号公報
【発明の概要】
【発明が解決しようとする課題】
【０００５】
しかしながら、上述した被試験電話機では、試験中の送受話器の実際の状態はオンフック状態である。このため、利用者が送受話器を取り上げたときにオンフック状態からオフフック状態になるか否かの点検は、作業員が電話機毎に送受話器を取り上げて行う必要がある。
【０００６】
上記の実情を鑑み、本発明は、非常電話機を使用する際の動作を再現した点検を遠隔から容易に行うことが可能な技術を提供することを一つの目的とする。
【課題を解決するための手段】
【０００７】
１つの態様に係る非常電話機の点検方法は、非常電話回線を介して受付台と接続される非常電話機の点検方法であって、前記非常電話回線とは別の電話回線を介して、点検の対象に選択した非常電話機に対し点検の開始を指示する開始信号を伝送し、前記開始信号を受信した非常電話機において該非常電話機と前記非常電話回線とを接続するスイッチのオン・オフを切り替えるフック部材を、前記スイッチをオフにする位置からオンにする位置に機械的に移動させて、前記非常電話機を前記非常電話回線に接続し、前記非常電話回線を介して前記非常電話機と前記受付台とを接続し、前記非常電話回線に接続された前記非常電話機の受話器から音声を出力した状態で送話器により収音した音声信号を録音し、録音した前記音声信号を前記非常電話機で再生して前記非常電話回線に出力し、前記フック部材を、前記スイッチをオンにする前記位置からオフにする前記位置に機械的に移動させて前記非常電話機と前記非常電話回線との接続を解除する非常電話機の点検方法である。
【０００８】
１つの態様に係る非常電話システムは、非常電話回線を介して接続される受付台及び複数台の非常電話機と、前記複数台の電話機に接続された前記非常電話回線とは別の電話回線とを含む非常電話システムであって、前記複数台の非常電話機のうちの少なくとも１台の非常電話機は、前記別の電話回線を介して伝送された点検の開始を指示する開始信号を受信する受信部と、該非常電話機を前記非常電話回線と接続するスイッチのオン・オフを切り替えるフック部材を、前記スイッチをオフにする位置とオンにする位置との間で機械的に移動させるソレノイドと、前記開始信号を受信した場合に前記ソレノイドを起動させ、前記フック部材を、前記スイッチをオフにする前記位置からオンにする前記位置に機械的に移動させ、前記非常電話回線を介して前記非常電話機を前記受付台に接続する第１の制御部と、前記非常電話回線に接続された前記非常電話機の受話器から音声を出力した状態で送話器により収音した音声信号を録音し、かつ録音した前記音声信号を前記非常電話機で再生する録音部と、前記ソレノイドを停止させ、前記フック部材を、前記スイッチをオンにする前記位置からオフにする前記位置に機械的に移動させ、前記非常電話機と前記非常電話回線との接続を解除する第２の制御部とを含む非常電話システムである。
【０００９】
１つの態様に係る非常電話機は、非常電話回線を介して受付台と接続される非常電話機であって、前記非常電話回線とは別の電話回線を介して伝送された点検の開始を指示する開始信号を受信する受信部と、該非常電話機を前記非常電話回線と接続するスイッチのオン・オフを切り替えるフック部材を、前記スイッチをオフにする位置とオンにする位置との間で機械的に移動させるソレノイドと、前記開始信号を受信した場合に前記ソレノイドを起動させ、前記フック部材を、前記スイッチをオフにする前記位置からオンにする前記位置に機械的に移動させ、前記非常電話回線を介して前記非常電話機を前記受付台に接続する第１の制御部と、前記非常電話回線に接続された前記非常電話機の受話器から音声を出力した状態で送話器により収音した音声信号を録音し、かつ録音した前記音声信号を前記非常電話機で再生する録音部と、前記ソレノイドを停止させ、前記フック部材を、前記スイッチをオンにする前記位置からオフにする前記位置に機械的に移動させ、前記非常電話機と前記非常電話回線との接続を解除する第２の制御部とを含む非常電話機である。
【発明の効果】
【００１０】
上述の態様によれば、非常電話機を使用する際の動作を再現した点検を遠隔から容易に行うことができる。
【図面の簡単な説明】
【００１１】
【図１】非常電話システムの一例を説明する概略図である。
【図２】一実施形態に係る非常電話システムの構成例を説明する概略図である。
【図３】一実施形態に係る非常電話機２の回路構成例を説明する概略図である。
【図４】一実施形態に係る非常電話機のフックスイッチのオン・オフの切り替え方法を説明する概略図である。
【図５】一実施形態に係る非常電話システムにおける非常電話機の点検方法を説明するシーケンス図である。
【発明を実施するための形態】
【００１２】
以下、図面を参照しながら、本発明に係る非常電話システム及び非常電話機の点検方法についての実施形態を詳細に説明する。なお、以下の説明では、従来の非常電話システム及び非常電話機における周知の構成及び動作についての詳細な説明を省略する。
【００１３】
図１は、非常電話システムの一例を説明する概略図である。図１には、高速道路網に設置される複数台の非常電話機２を含む非常電話システム１を例示している。
【００１４】
非常電話システム１における複数台の非常電話機２は、例えば、高速道路網における、管制センタ３が管轄するエリア内に設置されている。複数台の非常電話機２は、１つのブロック４に含まれる非常電話機２の台数が予め定められた最大台数（例えば、９台）以下となるように、複数のブロック４にグループ分けされている。１つのブロック４に含まれる複数台の非常電話機２は、単一の非常電話回線５により、線路監視装置（Ｌ−ＳＶ：Ｌｉｎｅ−Ｓｕｐｅｒ  Ｖｉｓｏｒ）６に接続されている。線路監視装置６は、非常電話回線５の監視等を行う装置であり、例えば、道路沿い、サービスエリア、パーキングエリア、料金所等の近傍にある通信機械室７等に設置されている。非常電話回線５は、線路監視装置６、及び図１には示していない自動交換設備（ＰＢＸ：Ｐｒｉｖａｔｅ  （ａｕｔｏｍａｔｉｃ）  Ｂｒａｎｃｈ  ｅＸｃｈａｎｇｅ）等を介して、管制センタ３の受付台３０１に接続されている。１つのブロック４に含まれる複数台の非常電話機２は、２台以上の非常電話機２を同時に受付台３０１に接続することができない態様で、非常電話回線５に接続されている。
【００１５】
図１に例示した非常電話システム１に含まれる非常電話機２は、例えば、電話機本体と、受話器及び送話器を含むハンドセットとを含む。電話機本体には、フックスイッチのオン・オフを切り替えるフック部材が、該電話機本体の筐体に対して移動可能に取り付けられている。フック部材は、例えば、電話機本体の外部に延伸するハンドセット受け部にハンドセットが掛け置かれた場合にフックスイッチをオフにし、ハンドセット受け部からハンドセットが取り上げられた場合にフックスイッチをオンにするように構成される。フックスイッチをオフにすると、非常電話回線５を介した受付台３０１との接続が解除された状態（以下「オンフック状態」という）になる。フックスイッチをオンにすると、非常電話回線５を介して受付台３０１と接続された状態（以下「オフフック状態」という）になり、管制センタ３内の係員が受付台３０１に接続されたハンドセット３０２を取り上げると、非常電話機２の利用者と、管制センタ３内の係員との通話が可能になる。
【００１６】
この種の非常電話システム１では、複数台の非常電話機２が数ｋｍの範囲にわたって分散しているため、点検時に係員が各非常電話機２の設置場所に赴くことは点検効率が非常に悪い。このため、本実施形態に係る非常電話システム１では、以下に述べるように、各非常電話機２を遠隔（具体的には、管制センタ３）から操作して点検する。
【００１７】
図２は、一実施形態に係る非常電話システムの構成例を説明する概略図である。なお、図２の非常電話システム１には、非常電話機２の１つのブロック４のみを示しているが、非常電話機２のブロック４は２つ以上であってもよい。
【００１８】
本実施形態に係る非常電話システム１は、交通管制室等の管制センタ３に設置された受付台３０１、ハンドセット３０２、業務電話機３０３、試験制御装置３０４、及び第１の自動交換設備（ＰＢＸ）３０５を含む。また、非常電話システム１は、通信機械室７等に設置された第２の自動交換設備（ＰＢＸ）８、線路監視装置（Ｌ−ＳＶ）６、及び回線制御装置９を含む。更に、非常電話システム１は、複数台の非常電話機２を含むブロック４を含む。なお、非常電話システム１は、図２には示していない他の装置、例えば、幹線伝送装置やローカル伝送装置等の、情報伝達やデータ送受信を行う伝送装置（光伝送設備）を含んでもよい。
【００１９】
管制センタ３に設置された受付台３０１は、非常電話システム１に含まれる全ての非常電話機２からの通話を受け付ける。非常電話機２は、非常電話回線５、線路監視装置６、第２の自動交換設備８、第１の自動交換設備３０５、及び試験制御装置３０４を介して、受付台３０１と接続される。試験制御装置３０４は、非常電話システム１に含まれる非常電話機２に対する遠隔からの動作試験（点検）を制御する装置であり、例えば、コンピュータと、以下に説明する制御処理をコンピュータに実行させるプログラムとにより実現することができる。
【００２０】
受付台３０１は、非常電話機２からの音声信号（受話信号）をハンドセット３０２の受話器に出力し、ハンドセット３０２の送話器で収音した音声信号（送話信号）を非常電話機２に出力する。
【００２１】
業務電話機３０３は、非常電話回線５とは別の業務電話回線を介して他の電話機との通話を行う。また、業務電話機３０３は、試験制御装置３０４、第１の自動交換設備３０５、第２の自動交換設備８、及び回線制御装置９を介して、業務電話回線１０により回線制御装置９に接続された１台以上の非常電話機２に対し、点検の開始を指示する信号を送信することができる。回線制御装置９は、業務電話機３０３又は試験制御装置３０４からの制御信号に基づいて、業務電話回線１０により接続された非常電話機２の呼び出し、及び業務電話機３０３との接続を制御する装置である。回線制御装置９と非常電話機２とを接続する業務電話回線１０には、例えば、予備の非常電話回線を利用可能である。１つのブロック４に含まれる複数台の非常電話機２は、単一の業務電話回線１０により回線制御装置９に接続されている。
【００２２】
本実施形態の非常電話システム１において非常電話機２の点検（動作試験）をする際には、まず、点検の対象に選択した非常電話機２をオンフック状態からオフフック状態に切り替える処理を行う。この処理は、例えば、管制センタ３の係員が業務電話機３０３を操作して行う。管制センタ３の係員は、業務電話機３０３を操作して回線制御装置９を呼び出し、業務電話回線１０を通じて点検の対象に選択した非常電話機２を識別する信号を送信する。点検の対象に選択された非常電話機２は、業務電話機３０３からの信号を受信すると、ハンドセットを掛け置くフック部材をオンフック状態の位置からオフフック状態の位置に機械的に移動させる。すなわち、非常電話機２は、該非常電話機２の利用者がハンドセットを取り上げたときと実質的に同一のオフフック状態を、遠隔からの操作に基づいて自動的に再現し、非常電話回線５を介した受付台３０１との接続を行う。非常電話機２と受付台３０１とが非常電話回線５を介して接続されると、業務電話回線１０を介した業務電話機３０３と非常電話機２との接続は解除される。
【００２３】
また、本実施形態の非常電話システム１では、上記の遠隔操作により、非常電話機２と受付台３０１とが非常電話回線５を介して接続されると、非常電話機２のハンドセットに設けられた受話器から試験音声が出力される。試験音声は、例えば、管制センタ３のハンドセット３０２で収音した音声信号、或いは受付台３０１又は試験制御装置３０４が出力した音声信号等を含む。また、試験音声は、例えば、非常電話機２に設けられた発振器が出力した所定周波数の音響信号を含む。非常電話機２は、ハンドセットの受話器から試験音声を非常電話機２の外部空間に出力している期間、該ハンドセットの送話器により収音した音声信号を非常電話機２に設けた録音部（レコーダ）により録音する。試験音声の出力及び録音部による録音が終了すると、非常電話機２は、録音した音響データを再生し、再生音声として非常電話回線５に出力する。非常電話回線５に出力された再生音声は、線路監視装置６、第２の自動交換設備８、第１の自動交換設備３０５、及び試験制御装置３０４を介して受付台３０１及びハンドセット３０２に伝送される。
【００２４】
受付台３０１、又は管制センタ３の係員は、非常電話機２からの再生音声に基づいて、点検の対象に選択された非常電話機２の動作の異常の有無、及び非常電話回線５を含む非常電話機２と受付台３０１との通話経路の異常の有無を判定する。該判定の後、管制センタ３のハンドセット３０２をオンフック状態にして非常電話機２と受付台３０１との接続を解除すると、非常電話機２は、フック部材をオフフック状態の位置からオンフック状態の位置に機械的に移動させてフックスイッチをオフにする。
【００２５】
図３は、一実施形態に係る非常電話機２の回路構成例を説明する概略図である。図３には、単一の非常電話回線５により線路監視装置６に接続される１つのブロックに含まれる複数台の非常電話機２のうちの１段目の非常電話機２の回路構成例を示している。
【００２６】
非常電話機２は、業務電話回線１０により回線制御装置９と接続された第１のＰＢ受信部（ＰＢ＿ＲＥＣ１）２０１と、第１のマイコン（マイコン１）２０２と、ソレノイド２０３と、フックスイッチ２０４と、スピーチネットワーク２０５とを含む。第１のＰＢ受信部２０１は、回線制御装置９を介して業務電話回線１０により伝送される非常電話機２のＩＤ番号を受信し、第１のマイコン２０２に転送する。業務電話回線１０により伝送されるＩＤ番号は、点検の対象に選択した非常電話機２を識別する番号であり、図３に例示した非常電話機２の後段の他の非常電話機２にも伝送される。第１のマイコン２０２は、第１のＰＢ受信部２０１から転送されたＩＤ番号と、該第１のマイコン２０２を含む非常電話機２に付与されたＩＤ番号（自機番号２０６）とを比較し、両者が一致する場合には、ソレノイド２０３を起動する第１の制御部の一例である。ソレノイド２０３は、フックスイッチ２０４のオンとオフとを切り替えるフック部材に対して、該ソレノイド２０３を起動した場合にフック部材がフックスイッチ２０４をオンにする方向に移動するように取り付けられている。フック部材は、例えば、非常電話機２のハンドセット２０７を掛け置く部位を有し、ハンドセット２０７を掛け置いた場合にフックスイッチ２０４がオフになる位置に移動し、ハンドセット２０７を取り上げた場合にフックスイッチ２０４がオンになる位置に移動するように、非常電話機２の本体部分に取り付けられている。フックスイッチ２０４がオンになると、スピーチネットワーク２０５と線路監視装置６とが非常電話回線５を介して接続される。スピーチネットワーク２０５は、線路監視装置６等を介して管制センタ３のハンドセット３０２等から送信された音声信号（受話信号）をハンドセット２０７の受話器２０８に出力し、ハンドセット２０７の送話器２０９で収音した音声信号（送話信号）を線路監視装置６等を介して管制センタ３のハンドセット３０２等に出力する。
【００２７】
また、非常電話機２は、第２のＰＢ受信部（ＰＢ＿ＲＥＣ２）２１０と、第２のマイコン（マイコン２）２１１と、第１のセレクタ（ＳＥ１）２１２及び第２のセレクタ（ＳＥ２）２１３と、第１のアンプ（ＰＧＡＭＰ１）２１４及び第２のアンプ（ＰＧＡＭＰ２）２１５と、レコーダ２１６と、第１〜第４のスイッチ２１７〜２２０と、発振器（ＯＳＣ）２２１と、第２のＰＢ発信部（ＰＢ＿ＯＳＣ２）２２２とを含む。
【００２８】
スピーチネットワーク２０５は、ソレノイド２０３が起動してフックスイッチ２０４がオンになると、第２のＰＢ受信部２１０を介して第２のマイコン２１１に対し、非常電話機２が非常電話回線５により受付台３０１に接続されたことを通知する。第２のマイコン２１１は、第１のマイコン２０２からソレノイド２０３への起動信号の出力を停止させ、第２のマイコン２１１からソレノイド２０３へ起動信号を出力する。また、第２のマイコン２１１は、非常電話機２に対する点検が終了すると、ソレノイド２０３への起動信号の出力を停止し、非常電話機２と非常電話回線５との接続を解除する。第２のマイコン２１１は、ソレノイド２０３を停止させて非常電話機２と非常電話回線５との接続を解除する第２の制御部の一例である。
【００２９】
第１のスイッチ２１７及び第２のスイッチ２１８は、非常電話機２のハンドセット２０７の受話器（レシーバ）２０８に出力する音声信号の伝送経路を切り替える。利用者がハンドセット２０７を取り上げたことにより非常電話機２と受付台３０１とが接続された場合、第１のスイッチ２１７及び第２のスイッチ２１８は、スピーチネットワーク２０５で受信した音声信号（受話信号）がそのまま受話器２０８に出力されるように、スピーチネットワーク２０５と受話器２０８とを接続する。一方、点検時（すなわちソレノイド２０３を起動したことにより非常電話機２と受付台３０１とが接続された場合）には、第１のスイッチ２１７及び第２のスイッチ２１８は、スピーチネットワーク２０５で受信した音声信号が第１のセレクタ２１２及び第１のアンプ２１４を介して受話器２０８に出力されるように、スピーチネットワーク２０５と受話器２０８とを接続する。第１のセレクタ２１２は、第１のスイッチ２１７を介して入力されるスピーチネットワーク２０５からの音声信号と、発振器２２１が出力した音響信号とを切り替える。発振器２２１は、所定の周波数（例えば、４００Ｈｚ）の音響信号を出力する。第１のアンプ２１４は、第１のセレクタ２１２から出力された音声信号又は音響信号を増幅する。
【００３０】
第３のスイッチ２１９及び第４のスイッチ２２０は、非常電話機２のハンドセット２０７の送話器（マイクロフォン）２０９で収音した音声信号の伝送経路を切り替える。利用者がハンドセット２０７を取り上げたことにより非常電話機２と受付台３０１とが接続された場合、第３のスイッチ２１９及び第４のスイッチ２２０は、送話器２０９で収音した音声信号がそのままスピーチネットワーク２０５に入力されるように、送話器２０９とスピーチネットワーク２０５とを接続する。一方、点検時には、第３のスイッチ２１９及び第４のスイッチ２２０は、送話器２０９で収音した音声信号がレコーダ２１６、第２のアンプ２１５、及び第２のセレクタ２１３を介してスピーチネットワーク２０５に入力されるように、送話器２０９とスピーチネットワーク２０５とを接続する。レコーダ２１６は、送話器２０９で収音した音声信号を録音し、録音した音声信号を再生する。第２のアンプ２１５は、回線ロス設定２２３に基づいて、レコーダ２１６が再生した音声信号の回線ロス分を増幅する。第２のセレクタ２１３は、第２のアンプ２１５を介して入力される音声信号と、第２のＰＢ発信部２２２が出力したＰＢ信号とを切り替える。第２のＰＢ発信部２２２が出力するＰＢ信号は、例えば、レコーダ２１６で録音した音声信号の再生が終了したときに、受付台３０１に対して再生終了（試験終了）を通知する信号である。
【００３１】
また、非常電話機２は、人感センサ２２４と、第１のＰＢ発信部（ＰＢ＿ＯＳＣ１）２２５とを含む。人感センサ２２４は、非常電話機２の前方の人の有無を検知するセンサであり、第１のマイコン２０２に接続されている。点検時に、人感センサ２２４により非常電話機２の前方に人がいることを検知すると、第１のマイコン２０２は、該検知結果を第２のマイコン２１１に通知し、第２のマイコン２１１によるソレノイド２０３の起動を停止させてフックスイッチ２０４をオフにする。また、フックスイッチ２０４がオフであるときに人感センサ２２４により非常電話機２の前方に人がいることを検知すると、第１のマイコン２０２は、第１のＰＢ発信部２２５にＰＢ信号を出力させる。第１のＰＢ発信部２２５が出力するＰＢ信号は、業務電話回線１０を介して、同一の非常電話回線５に接続された他の非常電話機２に伝送される。第１のＰＢ発信部２２５が出力するＰＢ信号は、同一の非常電話回線５に接続された同一ブロック４内に点検中の非常電話機２がある場合に、該非常電話機２の点検を強制的に終了させる信号である。すわなち、点検中の非常電話機２は、第１のＰＢ受信部２０１により他の非常電話機２からのＰＢ信号を受信した場合には、第１のマイコン２０２又は第２のマイコン２１１によるソレノイド２０３の起動を停止させてフックスイッチ２０４をオフにする。
【００３２】
本実施形態の非常電話システム１における非常電話機２は、上記のように、フックスイッチ２０４をオンにすると非常電話回線５を介して管制センタ３の受付台３０１と接続された状態になる。非常電話機２のフックスイッチ２０４のオン・オフは、上記のように、電話機本体の筐体に対して移動可能に取り付けられたフック部材の位置を変えることにより切り替わる。
【００３３】
図４は、一実施形態に係る非常電話機のフックスイッチのオン・オフの切り替え方法を説明する概略図である。図４には、非常電話機２におけるフックスイッチ２０４、フック部材２５０、ハンドセット２０７、及びフック部材２５０を移動させる機構のみを示している。図４に示した手前方向及び奥方向は、それぞれ、非常電話機２に正対した利用者から見た電話機本体（図示せず）における利用者に近づく方向及び利用者から遠ざかる方向である。また、図４に示した上方向及び下方向は、それぞれ、非常電話機２が設置された空間における鉛直上方及び鉛直下方である。
【００３４】
フック部材２５０は、電話機本体の筐体（図示せず）に対して水平方向（より具体的には、非常電話機２に正対した利用者から見た左右方向）に延びる回転軸周りで回転可能に、電話機本体に取り付けられている。すなわち、図４に例示したフック部材２５０は、軸２５１を支点として時計回り及び半時計回りに回転させることができる。
【００３５】
フック部材２５０は、軸２５１から奥方向に延伸する第１のアーム部２５２、軸２５１から下方向に延伸する第２のアーム部２５３、及び軸２５１から手前方向に延伸する第３のアーム部２５４を有する。第１のアーム部２５２及び第２のアーム部２５３は電話機本体の筐体内部に位置する。第３のアーム部２５４は、筐体外部に延出したハンドセット受け部２５５を有する。
【００３６】
第１のアーム部２５２には、フック部材２５０を図４における時計回り方向に付勢するばね２５６の一端が取り付けられている。ばね２５６は、第３のアーム部２５４にハンドセット２０７が掛け置かれた場合に第３のアーム部２５４がハンドセット２０７から受ける荷重により第２のアーム部２５３がフックスイッチ２０４から離間して該フックスイッチ２０４がオフになり、ハンドセット２０７を取り上げると第２のアーム部２５３がフックスイッチ２０４に当接して該フックスイッチ２０４がオンになるようなものが用いられる。
【００３７】
また、第１のアーム部２５２には、第３のアーム部２５４にハンドセット２０７が掛け置かれた状態のフック部材２５０を図４における時計回り方向に回転させるソレノイド２０３が取り付けられている。ソレノイド２０３は、例えば、コイル２６１と、磁性部材２６２と、磁性部材２６２を第１のアーム部２５２に取り付ける取付部材２６３とを含む。ソレノイド２０３は、例えば、第１のアーム部２５２の下方に、コイル２６１に対して所定の方向の電流を印加した場合に磁性部材２６２を下方に移動させる磁場が生じるような向きで取り付ける。
【００３８】
本実施形態に係る非常電話機２では、非点検時には、ソレノイド２０３のコイル２６１に対して電流を印加しない。このため、非常電話機２の非点検時であって、第３のアーム部２５４にハンドセット２０７が掛け置かれている場合には、フック部材２５０は、第２のアーム部２５３がフックスイッチ２０４から離間して該フックスイッチ２０４がオフになる位置（図４に実線で示した回転位置）に保持される。
【００３９】
一方、本実施形態に係る非常電話機２では、点検時には、ソレノイド２０３のコイル２６１に対して電流を印加することによりソレノイド２０３を起動する。このとき、コイル２６１には、第３のアーム部２５４にハンドセット２０７が掛け置かれた状態のまま、第２のアーム部２５３がフックスイッチ２０４に当接して該フックスイッチ２０４をオンにする回転位置までフック部材２５０を回転移動させることが可能な大きさの電流を印加する。これにより、作業員がハンドセット２０７を取り上げることなく、フック部材２５０を回転移動させてフックスイッチ２０４をオンにすることができる。したがって、本実施形態に係る非常電話機２は、ハンドセット２０７を取り上げたときに受付台３０１に接続されるか否かの点検を、遠隔からソレノイド２０３を起動させる信号を入力することにより行うことができる。
【００４０】
また、本実施形態に係る非常電話機２は、上記のようにレコーダ２１６を有し、点検時にハンドセット２０７の受話器２０８から出力された音声を送話器２０９で収音し、該収音した音声を録音及び再生することができる。このため、本実施形態に係る非常電話システム１では、遠隔からの操作により、非常電話機２のハンドセット２０７や、非常電話機２と受付台３０１とを接続する非常電話回線５の点検も行うことができる。以下、図５を参照して、本実施形態に係る非常電話システム１における非常電話機２の点検方法の一例を説明する。
【００４１】
図５は、一実施形態に係る非常電話システムにおける非常電話機の点検方法を説明するシーケンス図である。図５に例示した非常電話機２の点検作業は、例えば、点検の対象となる複数台の非常電話機２を含む１つのブロック内の全ての非常電話機２が受付台３０１と接続されていない状態（待機状態）である場合に実施される。
【００４２】
本実施形態の非常電話システム１において非常電話機２の点検をする場合には、まず、管制センタ３の業務電話機３０３から回線制御装置９に対する内線呼出を行う（ステップＳ１）。管制センタ３の係員等の点検者は、業務電話機３０３のハンドセットを上げて発信音（ＤＴ）が聞こえることを確認した後、例えば、該ハンドセットのプッシュボタンを操作して回線制御装置９の内線番号（呼び出し番号）をダイヤルする。内線番号をダイヤルすると、第１の自動交換設備３０５及び第２の自動交換設備８等を介して、業務電話機３０３から回線制御装置９に内線呼出の信号（例えば、１６Ｈｚの呼出信号）が伝送され、ハンドセットの受話器から呼び出し音（ＲＢＴ）が出力される。
【００４３】
回線制御装置９は、業務電話回線３０３からの呼び出し信号を数回検出すると、業務電話機３０３に応答を返信し（ステップＳ２）、業務電話機３０３を回線制御装置９に接続する。このとき、回線制御装置９は、非常電話機２に接続された業務電話回線１０との絶縁を解除し、非常電話機２側に業務電話回線を伸ばす。
【００４４】
業務電話機３０３と回線制御装置９とが接続された後、第１の自動交換設備３０５及び第２の自動交換設備８等を介して業務電話機３０３から回線制御装置９にＩＤ番号が伝送され、該回線制御装置９から業務電話回線１０を通じて複数台の非常電話機２にＩＤ番号が転送される（ステップＳ３）。ＩＤ番号は、点検の対象に選択した非常電話機２を識別する番号であり、例えば、係員が、ハンドセットの呼び出し音が停止したことを確認した後、ハンドセットのプッシュボタンを操作して入力（ダイヤル）する。回線制御装置９は、ＩＤ番号を非常電話機２に転送した後、所定の期間（例えば、３秒）が経過すると、業務電話回線１０の接続を解除する（ステップＳ４）。
【００４５】
複数台の非常電話機２は、それぞれ、業務電話回線１０により伝送されたＩＤ番号が、自機のＩＤ番号（自機番号）と一致するか否かを判定する（ステップＳ５）。非常電話機２は、第１のＰＢ受信部２０１でＩＤ番号を受信すると、該ＩＤ番号を第１のマイコン２０２に転送し、受信したＩＤ番号が自機番号２０６と一致するか否かを判定する。一致しない場合（ステップＳ５；ＮＯ）、該非常電話機２は、点検に係る処理を実行せずに待機状態を継続する。
【００４６】
ＩＤ番号が一致した場合（ステップＳ５；ＹＥＳ）、該非常電話機２は、第１のマイコン２０２によりソレノイド２０３を起動する（ステップＳ６）。ソレノイド２０３を起動すると、フック部材２５０が機械的に回転し、該フック部材２５０の第２のアーム部２５３がフックスイッチ２０４をオンにする。フックスイッチ２０４がオンになった非常電話機２は、線路監視装置６、第２の自動交換設備９、第１の自動交換設備３０５、及び試験制御装置３０４等を介して受付台３０１を呼び出す（ステップＳ７）。その後、フックスイッチがオンになった非常電話機２（点検対象の非常電話機）は、第２のマイコン２１１に電源が供給され、該第２のマイコン２１１が起動する。第２のマイコン２１１は、起動後、第１のマイコン２０２にソレノイド２０３のコイル２６１への電流の印加を停止させるとともに、自身によるソレノイド２０３のコイル２６１への電流の印加を開始し、フック部材２５０によりフックスイッチ２０４がオンにされた状態を維持する。
【００４７】
受付台３０１は、非常電話機２からの呼び出しに応答し、試験開始操作を受け付けると（ステップＳ８）、試験制御装置３０４に対して試験開始を指示する信号を送信する（ステップＳ９）。試験開始を指示する信号は、例えば、点検の対象に選択されている非常電話機２を識別する情報を含む。試験開始操作は、例えば、受付台３０１、又は受付台３０１に接続されたハンドセット３０２に設けられたボタンスイッチに対する操作である。試験制御装置３０４は、受付台３０１からの試験開始を指示する信号を受け付けると、点検の対象である非常電話機２に対し、第１の自動交換設備３０５、第２の自動交換設備８、線路監視装置６、及び非常電話回線５等を介して試験開始の合図となるＰＢ信号を送信する（ステップＳ１０）。
【００４８】
点検の対象に選択されている非常電話機２は、試験制御装置３０４からのＰＢ信号を受信すると、レコーダ２１６による録音処理を実施する（ステップＳ１１）。非常電話機２は、スピーチネットワーク２０５で受信したＰＢ信号を、第２のＰＢ受信部２１０を介して第２のマイコン２１１に転送し、第２のマイコン２１１においてＰＢ番号を確認する。その後、非常電話機２は、第３のスイッチ２１９をレコーダ２１６側に切り替えるとともに、第４のスイッチ２２０を第２のセレクタ２１３側に切り替え、ハンドセット２０７の送話器２０９により収音した音声信号をレコーダ２１６により録音する処理を開始する。
【００４９】
このとき、非常電話機２は、例えば、まず所定の第１の期間（例えば、５秒間）に受付台３０１からの音声信号を録音し、その後、所定の第２の期間（例えば、３秒間）に発振器２２１が出力した音声信号（例えば、４００Ｈｚの音響信号）を録音する。非常電話機２は、録音処理を開始すると、まず、第１のスイッチ２１７を第１のセレクタ２１２側に切り替えるとともに第２のスイッチ２１８を第１のアンプ２１４側に切り替え、非常電話回線５を通じて受付台３０１から伝送される試験用の音声信号（受話信号）を第１のアンプ２１４により増幅してハンドセット２０７の受話器２０８から音声として出力する。受付台３０１から伝送される試験用の音声信号は、例えば、管制センタ３の係員が受付台３０１に接続されたハンドセット３０２に向かって発した所定の単語や文章等の音声信号である。すなわち、受付台３０１は、試験制御装置３０４に対して試験開始を指示する信号を送信した後、試験用の音声信号（試験音声）を非常電話機２に向けて出力する（ステップＳ１２）。第１の期間中、非常電話機２は、受付台３０１から伝送された試験用の音声信号をスピーチネットワーク２０５において２線から４線に変換し、変換した音声信号を第１のアンプ２１４により増幅して受話器２０８から出力する。そして、第１の期間が経過すると、非常電話機２は、第１のセレクタ２１２を切り替え、発振器２２１が発した音声信号を第１のアンプ２１４で増幅して受話器２０８から出力する。そして、第２の期間が経過すると、非常電話機２は、発振器２２１による音声信号の発信を終了し、レコーダ２１６による録音を終了する。
【００５０】
録音処理が終了すると、非常電話機２は、レコーダ２１６により録音した音声信号を再生して受付台３０１に伝送する再生処理を実施する（ステップＳ１３）。再生処理において、非常電話機２は、例えば、レコーダ２１６により再生された音声信号を第２のアンプ２１５で増幅した後、スピーチネットワーク２０５において４線から２線に変換して非常電話回線５に出力する。第２のアンプ２１５では、回線ロス設定２２３に基づく回線ロス分を増幅する。非常電話回線５に出力された音声信号（再生音声）は、線路監視装置６、第２の自動交換設備８、第１の自動交換設備３０５、及び試験制御装置３０４等を介して受付台３０１に伝送される（ステップＳ１４）。受付台３０１に伝送される音声信号は、例えば、試験制御装置３０４に蓄積してもよい。
【００５１】
再生処理が終了すると、非常電話機２は、第２のセレクタ２１３を切り替え、第２のＰＢ発信部２２２が出力するＰＢ信号を非常電話回線５に出力する（ステップＳ１５）。その後、非常電話機２は、第３のスイッチ２１９及び第４のスイッチ２２０を、レコーダ２１６及び第２のセレクタ２１３を介さない経路側に切り替える。
【００５２】
再生音声に続くＰＢ信号を受信した受付台３０１は、現在点検の対象となっている非常電話機２との非常電話回線５を介した接続を解除する（ステップＳ１６）。このとき、現在点検の対象となっている非常電話機２には、非常電話回線５等を介してロックアウト信号が伝送される（ステップＳ１７）。ロックアウト信号を受信した非常電話機２は、例えば、第２のマイコン２１１の電源がオフになり、ソレノイド２０３が停止する（ステップＳ１８）。ソレノイド２０３が停止すると、フックスイッチ２０４をオンにしていたフック部材２５０は、第３のアーム部２５４に掛け置かれたハンドセット２０７からの荷重により第２のアーム部２５３がフックスイッチ２０４から離間する方向（図４の反時計回り方向）に回転する。これにより、非常電話機２は、フックスイッチ２０４がオフになり（すなわち、非常電話回線５との接続が解除され）、待機状態となる。
【００５３】
上記の手順により複数台の非常電話機２のうちの１台の非常電話機２に対する点検が終了した後、点検の対象とする非常電話機２のＩＤ番号を変更しながら上述した処理を繰り返すことにより、管轄するエリア内の複数台の非常電話機２に対する点検を、順次、遠隔からの操作により行うことができる。
【００５４】
また、図５には示していないが、点検中の非常電話機２における人感センサ２２４が人を検知した場合、該非常電話機２は、点検を中止してもよい。例えば、第１のマイコン２０２が人感センサ２２４の出力に基づいて人が検知されたと判定した場合、第１のマイコン２０２は、第２のマイコン２１１に対してソレノイド２０３の停止を指示する信号を出力する。第２のマイコン２１１がソレノイド２０３を停止させると、フックスイッチ２０４がオフになり、非常電話機２と非常電話回線５との接続が解除される。点検中に接続が解除された場合、その後、検知した人（利用者）が非常電話機２のハンドセット２０７を取り上げて非常電話機２と受付台３０１とが再度接続されると、管制センタ３の係員は、接続が解除された原因が当該非常電話機２の異常によるものではないと確認することができる。また、点検中に接続が解除された後、所定の期間を経過しても当該非常電話機２と受付台３０１とが接続されない場合には、例えば、当該非常電話機２に対する点検を再度実施することにより、当該非常電話機２の異常の有無を確認することができる。
【００５５】
また、図５には示していないが、１つのブロック４に含まれる、点検中の非常電話機２とは別の非常電話機２におけるフックスイッチ２０４がオンになった場合、点検中の非常電話機２は、ソレノイド２０３を停止させて点検を中止してもよい。ここで、点検中の非常電話機２とは別の非常電話機２は、例えば、点検中ではない非常電話機２のハンドセット２０７が取り上げられてフックスイッチ２０４がオンになった非常電話機２を含む。このようにすることで、非常事態が発生したことを管制センタ３に通知することを優先させることができ、非常事態に対して早期に対処することができる。
【００５６】
このように、本実施形態に係る非常電話システム１では、非常電話回線５とは別の電話回線（業務電話回線１０）を介して点検の対象に選択されたことを示す情報が入力された非常電話機２は、フックスイッチ２０４のオン・オフを切り替えるフック部材２５０を機械的に移動させて、フックスイッチ２０４をオフからオンに切り替える。このため、非常電話機２におけるフック部材２５０の動作が正常であるか否かの点検を、作業員が非常電話機２のハンドセット２０７を取り上げて点検する作業をすることなく、遠隔からの操作により実施することができる。また、本実施形態に係る非常電話システム１では、受付台３０１から非常電話機２に伝送された試験用の音声信号を該非常電話機２の受話器２０８から出力しながら送話器２０９で収音した音声信号を録音し、該録音した音声信号を再生して受付台３０１に伝送する。このため、非常電話回線５を含む、受付台３０１から非常電話機２までの伝送経路が正常であるか否かの点検を、遠隔からの操作により実施することができる。更に、非常電話機２は、自身が備える発振器２２１により出力した音声信号を別の試験用の音声信号として非常電話機２の受話器２０８から出力しながら送話器２０９で収音した音声信号を録音し、該録音した音声信号を再生して受付台３０１に伝送する。このため、非常電話機２から受付台３０１に伝送された音声信号（再生音声）に基づいて伝送経路に異常があると判定した場合に、例えば、受付台３０１から非常電話機２に至る経路、非常電話機２のハンドセット２０７、及び非常電話機２から受付台３０１に至る経路のどこに異常があるのかを推定することができる。したがって、本実施形態に係る非常電話システム１では、非常電話回線５を含む非常電話機２と受付台３０１との伝送経路、及び非常電話機２の動作に関する点検業務を、遠隔からの操作で行うことができ、広範囲に点在する複数台の非常電話機２の点検業務を効率よく行うことができる。
【００５７】
また、本実施形態に係る非常電話機２は、上記のように、点検時の録音処理（ステップＳ１１）では第１のアンプ２１４で増幅した音声信号をハンドセット２０７の受話器２０８から出力し、点検時の再生処理（ステップＳ１３）では第２のアンプ２１５で増幅した音声信号を非常電話回線５に出力する。更に、点検時の録音処理では、非常電話回線５を介して受付台３０１から伝送された音声信号とは別の、非常電話機２が有する発振器２２１が出力した所定の周波数の音声信号を録音する。このため、例えば、高速道路網に設置された非常電話機２のような、周囲の雑音レベルが不定である非常電話機２に対する音声品質の点検を、適切に行うことができる。
【００５８】
また、本実施形態に係る非常電話システム１では、上記のように、非常事態の発生を通知するために非常電話機２を利用する人が現れた場合に、点検を中止し、非常事態の発生の通知を優先することができる。このため、交通事故等の非常事態に対し早期に対処することができる。
【００５９】
なお、上述した非常電話システム１の構成、非常電話機２の動作、及び点検方法は、本発明に係る非常電話システム１の構成、非常電話機２の動作、及び点検方法についての一実施形態に過ぎない。本発明に係る非常電話システム１の構成、非常電話機２の動作、及び点検方法は、上述した実施形態に限らず、本発明の要旨を逸脱しない範囲において適宜変更可能である。例えば、図５に例示したシーケンス図において業務電話機３０３を利用して実施される処理のうちの１つ以上は、試験制御装置３０４を利用して実施してもよい。例えば、点検の対象となる非常電話機２を選択して該ＩＤ番号を送出する処理（図５のステップＳ１〜Ｓ３）は、受付台３０１等から試験制御装置３０４に対して試験開始のトリガを入力することにより試験制御装置３０４に行わせてもよい。また、例えば、非常電話機２の回路構成は、図３に例示した回路構成に限らず、適宜変更可能である。更に、非常電話機２は、フック部材２５０が並進移動することによりフックスイッチ２０４のオン・オフが切り替わるものであってもよいし、ソレノイド２０３とは別の動力を利用してフック部材２５０を移動させてもよい。また、回線制御装置９は、業務電話回線１０を通じて接続される複数台の非常電話機２のいずれかから非常電話回線５に出力される話中音（ＢＴ）を検出した場合に、業務電話回線１０の接続を解除するように構成されてもよい。
【符号の説明】
【００６０】
１  非常電話システム
２  非常電話機
３  管制センタ
４  ブロック
５  非常電話回線
６  線路監視装置
７  通信機械室
８  第２の自動交換装置
９  回線制御装置
１０  業務電話回線
２０１  第１のＰＢ受信部
２０２  第１のマイコン
２０３  ソレノイド
２０４  フックスイッチ
２０５  スピーチネットワーク
２０６  自機番号
２０７  ハンドセット
２０８  受話器
２０９  送話器
２１０  第２のＰＢ受信部
２１１  第２のマイコン
２１２  第１のセレクタ
２１３  第２のセレクタ
２１４  第１のアンプ
２１５  第２のアンプ
２１６  レコーダ
２１７  第１のスイッチ
２１８  第２のスイッチ
２１９  第３のスイッチ
２２０  第４のスイッチ
２２１  発振器
２２２  第２のＰＢ発信部
２２３  回線ロス設定
２２４  人感センサ
２２５  第１のＰＢ発信部
２５０  フック部材
２５１  軸
２５２  第１のアーム部
２５３  第２のアーム部
２５４  第３のアーム部
２５５  受け部
２５６  ばね
２６１  コイル
２６２  磁性部材
２６３  取付部材
【要約】
【課題】非常電話機を使用する際の動作を再現した点検を遠隔から容易に行えるようにする。
【解決手段】非常電話回線を介して受付台と接続される非常電話機の点検方法であって、非常電話回線とは別の電話回線を介して非常電話機に対し点検の開始を指示する開始信号を伝送し、開始信号を受信した非常電話機において該非常電話機と非常電話回線とを接続するスイッチのオン・オフを切り替えるフック部材を、スイッチをオフにする位置からオンにする位置に機械的に移動させて、非常電話回線を介して非常電話機と受付台とを接続し、非常電話回線に接続された非常電話機の受話器から音声を出力した状態で送話器により収音した音声信号を録音し、録音した音声信号を非常電話機で再生して非常電話回線に出力し、フック部材を、スイッチをオンにする位置からオフにする位置に機械的に移動させて非常電話機と非常電話回線との接続を解除する非常電話機の点検方法である。
【選択図】図５【図１】
0006886052.tif 000002
【図２】
0006886052.tif 000003
【図３】
0006886052.tif 000004
【図４】
0006886052.tif 000005
【図５】
0006886052.tif 000006